(57)【特許請求の範囲】
【請求項１】
湾曲部を有する表示体と、
前記湾曲部と対向する位置に貫通孔が設けられた底板部を有するケースと、
電子部品が実装されたプリント基板と、を有し、
前記プリント基板は、前記電子部品が前記底板部と対向する面にあり、かつ前記貫通孔内に配置された状態で、前記底板部の前記表示体側とは反対側の面に固定されている、
表示装置。
【請求項２】
前記貫通孔は、前記表示体と前記底板部との距離が最も小さくなる位置とは異なる位置に配置されている
請求項１に記載の表示装置。
【請求項３】
前記電子部品は、前記貫通孔を介して、前記底板部と前記表示体との間に設けられた空間に配置されている
請求項１または２に記載の表示装置。
【請求項４】
前記底板部と前記表示体との間には、前記表示体を支持する支持台が設けられ、
前記支持台の前記底板部と対向する面には、窪みが設けられ、
前記窪みが設けられた面と前記底板部との間に形成された空間が、前記電子部品が収容される空間である
請求項３に記載の表示装置。
【請求項５】
前記支持台は、前記表示体を支持する天板と、前記天板から前記底板部側に突出した複数の壁材と、を有し、
前記天板と複数の前記壁材とに囲まれた空間が、前記電子部品が収容される空間である
請求項４に記載の表示装置。
【発明の詳細な説明】
【技術分野】
【０００１】
本発明は、表示装置に関する。
【背景技術】
【０００２】
表示体を湾曲させた表示装置が知られている（例えば、特許文献１参照）。この種の表示装置は、曲面ディスプレイと呼ばれる。表示体には、プリント基板が電気的に接続されている。プリント基板は、表示体を収容するケースの外側に引き出され、ケースの底板部に固定される。
【先行技術文献】
【特許文献】
【０００３】
【特許文献１】特開平１１−３８３９５号公報
【発明の概要】
【発明が解決しようとする課題】
【０００４】
表示装置の厚みは、ケースの深さ、プリント基板の厚み、および、プリント基板に実装された電子部品の高さによって決まる。上述の表示装置では、表示体は、湾曲した状態でケースに収容される。そのため、ケースの深さが深くなり、表示装置の厚みが厚くなる。
【０００５】
本発明の目的は、薄型の表示装置を提供することにある。
【課題を解決するための手段】
【０００６】
本発明の一態様に係る表示装置は、湾曲部を有する表示体と、前記湾曲部と対向する位置に貫通孔が設けられた底板部を有するケースと、前記底板部と対向する面に電子部品が実装され、前記電子部品が前記貫通孔内に配置された状態で、前記底板部の前記表示体側とは反対側の面に固定されたプリント基板と、を有する。
【図面の簡単な説明】
【０００７】
【図１】図１は、一実施形態に係る表示装置を上面側から見た平面図である。
【図２】図２は、図１のＡ−Ａ′線に沿う断面図である。
【図３】図３は、ケースの下面にプリント基板を固定する前の状態を示す図である。
【図４】図４は、ケースの下面にプリント基板を固定した後の状態を示す図である。
【図５】図５は、表示体の湾曲形状のバリエーションを示す図である。
【図６】図６は、表示体の湾曲形状のバリエーションを示す図である。
【発明を実施するための形態】
【０００８】
発明を実施するための形態（実施形態）につき、図面を参照しつつ詳細に説明する。以下の実施形態に記載した内容により本発明が限定されるものではない。また、以下に記載した構成要素には、当業者が容易に想定できるもの、実質的に同一のものが含まれる。さらに、以下に記載した構成要素は適宜組み合わせることが可能である。なお、開示はあくまで一例にすぎず、当業者において、発明の主旨を保っての適宜変更について容易に想到し得るものについては、当然に本発明の範囲に含有されるものである。また、図面は説明をより明確にするため、実際の態様に比べ、各部の幅、厚さ、形状等について模式的に表される場合があるが、あくまで一例であって、本発明の解釈を限定するものではない。また、本明細書と各図において、既出の図に関して前述したものと同様の要素には、同一の符号を付して、詳細な説明を適宜省略することがある。
【０００９】
図１は、一実施形態に係る表示装置１００を上面側から見た平面図である。図２は、図１のＡ−Ａ′線に沿う断面図である。図３および図４は、ケース２の下面側の構成を示す図である。図３は、ケース２の下面にプリント基板６０を固定する前の状態を示す図である。図４は、ケース２の下面にプリント基板６０を固定した後の状態を示す図である。以下の説明では、ユーザーによって画像が観察される側を「上」とし、ユーザーによって画像が観察される側とは反対側を「下」として、各部材の構成を説明する。
【００１０】
図１および図２に示すように、表示装置１００は、表示体１と、ケース２と、カバー部材１０と、支持台３３と、補強フレーム５０と、を有する。表示体１は、例えば、表示パネル２０と、バックライト３０と、を有する。表示パネル２０は、例えば、液晶パネルである。表示パネル２０には、フレキシブルプリント回路基板（以下、ＦＰＣと略記する）２６を介してプリント基板６０が電気的に接続されている。バックライト３０は、例えば、導光板３１と、光学シート部３２と、図示略の光源と、を有する。光学シート部３２は、例えば、プリズムシートや拡散シートなどの複数の光学シートを有する。
【００１１】
表示パネル２０の上面には、カバー部材１０が接着されている。カバー部材１０は、例えば、ガラス基板やプラスチック基板などの可視光を透過する透明基板である。カバー部材１０には、表示体１の表示領域１Ａを縁取る枠状の遮光層１１が設けられている。表示領域１Ａに表示された画像は、カバー部材１０を介して観察者に視認される。カバー部材１０の外縁部は、補強フレーム５０によって支持されている。補強フレーム５０は、表示装置１００が他の機器のプレートに装着された際に、プレートとカバー部材１０との間に挟み込まれてカバー部材１０の振動を抑制する。
【００１２】
カバー部材１０の中央部には、ケース２側に湾曲した湾曲部が設けられている。表示体１は、この湾曲部に沿って湾曲した状態でカバー部材１０の下面に接着されている。表示体１は、カバー部材１０の湾曲形状を反映した湾曲部ＣＶを有する。カバー部材１０は、表示パネル２０を保護するとともに、表示パネル２０を湾曲形状に保持する。表示パネル２０を構成する部材は、カバー部材１０の湾曲形状に追従しやすいように薄型化されている。例えば、表示パネル２０を構成する基板の厚みは、５０μｍ〜２００μｍである。
【００１３】
ケース２は、第一のフレーム３６と、第二のフレーム３７と、第三のフレーム４０と、支持台３３と、を有する。第一のフレーム３６は、第一の枠体３６ｂと、底板部３６ａと、を有する。底板部３６ａは、表示体１の下面と対向配置されている。第一の枠体３６ｂは、底板部３６ａの外縁部から表示体１に向けて突出している。
【００１４】
第一のフレーム３６と表示体１との間には、表示体１を支持する支持台３３が設けられている。支持台３３は、本体部３４と、側面カバー３５と、を有する。本体部３４は、表示体１と底板部３６ａとの間に挟まれて表示体１の下面を支持する。側面カバー３５は、本体部３４の上面の外縁部からカバー部材１０側に突出し、バックライト３０の外周を囲む。バックライト３０は、側面カバー３５の内壁面に沿って支持台３３に嵌め込まれている。
【００１５】
本体部３４の第一の枠体３６ｂと対向する側面には、第一の枠体３６ｂの厚みと同程度の深さを有する窪み３４Ｓが設けられている。窪み３４Ｓが設けられた支持台３３の下端部は、第一の枠体３６ｂの内壁面に沿って第一のフレーム３６に嵌め込まれている。側面カバー３５が設けられた支持台３３の上端部は、第一の枠体３６ｂの上部に乗り上げるように配置されている。
【００１６】
第二のフレーム３７は、第二の枠体３７ａと、エッジカバー３７ｂと、突起部３７ｃと、を有する。第二の枠体３７ａは、第一の枠体３６ｂの外周を囲んで第一の枠体３６ｂの側面に固定されている。エッジカバー３７ｂは、第二の枠体３７ａの上端部から表示体１側に突出してバックライト３０の上面の縁部と対向配置されている。突起部３７ｃは、エッジカバー３７ｂの下面からバックライト３０側に突出し、導光板３１の上面と接触している。エッジカバー３７ｂの上面には、表示パネル２０の外縁部が接触している。エッジカバー３７ｂの下面には、光学シート部３２の外縁部および側面カバー３５の上端部が接触している。
【００１７】
第一のフレーム３６は、第二の枠体３７ａの内壁面に沿って第二のフレーム３７に嵌め込まれている。第一のフレーム３６と第二のフレーム３７とは、例えば、図示略のネジで固定されている。バックライト３０の中央部は、エッジカバー３７ｂから露出している。バックライト３０の中央部から放射された光は、表示パネル２０に照射される。表示パネル２０は、バックライト３０から照射された光を変調して画像を形成する。
【００１８】
第三のフレーム４０は、第二の枠体３７ａの外周を囲んでカバー部材１０に接着されている。第三のフレーム４０と第二の枠体３７ａとの間には、隙間４３が設けられている。ＦＰＣ２６の第一の端部は、表示パネル２０と電気的に接続されている。ＦＰＣ２６の第二の端部は、隙間４３を通って底板部３６ａの下面側に引き出されている。プリント基板６０は、ＦＰＣ２６の第二の端部と電気的に接続されている。プリント基板６０は、ネジなどによって底板部３６ａの下面に固定されている。
【００１９】
図３に示すように、底板部３６ａには、湾曲部ＣＶと対向する位置に貫通孔３６Ｈが設けられている。図２に示すように、プリント基板６０は、基板本体６１と、電子部品６２と、を有する。プリント基板６０は、底板部３６ａと対向する面に電子部品６２が実装されている。図２および図４に示すように、プリント基板６０は、電子部品６２が貫通孔３６Ｈ内に配置された状態で、底板部３６ａの表示体１側とは反対側の面に固定されている。電子部品６２は、例えば、貫通孔３６Ｈを介して、底板部３６ａと表示体１との間に設けられた空間ＳＰに配置されている。
【００２０】
空間ＳＰは、例えば、支持台３３の底板部３６ａと対向する面に設けられた窪み３４Ｄによって形成されている。窪み３４Ｄが設けられた面と底板部３６ａとの間に形成された空間ＳＰが、電子部品６２が収容される空間である。
【００２１】
例えば、図３に示すように、本体部３４は、表示体１を支持する天板３４ａと、天板３４ａから底板部３６ａ側に突出した複数の壁材３４ｂと、を有する。天板３４ａと複数の壁材３４ｂとに囲まれた空間が、電子部品６２が収容される空間ＳＰである。複数の壁材３４ｂは、例えば、天板３４ａの底板部３６ａ側の面全体に格子状に配置されているが、複数の壁材３４ｂの配置はこれに限られない。例えば、複数の壁材３４ｂは、天板３４ａの底板部３６ａ側の面全体にストライプ状に配置されてもよい。図２に示した側面カバー３５は、天板３４ａの上面の外縁部に設けられている。
【００２２】
図３および図４に示すように、底板部３６ａの下面側には、バックライト３０と電気的に接続されたＦＰＣ２５の端部が引き出されている。プリント基板６０には、ＦＰＣ２７が電気的に接続されている。ＦＰＣ２５の端部およびＦＰＣ２７の端部は、それぞれ接着テープなどにより底板部３６ａの下面に固定されている。表示装置１００は、ＦＰＣ２５およびＦＰＣ２７が接着テープにより底板部３６ａの下面に固定された状態で出荷される。
【００２３】
以上説明した本実施形態の表示装置１００では、ケース２の底板部３６ａに、電子部品６２を収容するための貫通孔３６Ｈが設けられている。そのため、底板部３６ａの下面側に突出する電子部品６２の高さが低減され、表示装置１００の厚みが薄くなる。湾曲部ＣＶを有する表示体１をケース２に収容すると、表示体１とケース２の底板部３６ａとの間には隙間ができる。そのため、その隙間に電子部品６２が収容されれば、底板部３６ａの下面側に突出する電子部品６２の高さが大きく低減される。
【００２４】
以上、本発明の好適な実施の形態を説明したが、本発明はこのような実施の形態に限定されるものではない。実施の形態で開示された内容はあくまで一例にすぎず、本発明の趣旨を逸脱しない範囲で種々の変更が可能である。本発明の趣旨を逸脱しない範囲で行われた適宜の変更についても、当然に本発明の技術的範囲に属する。上述した発明を基にして当業者が適宜設計変更して実施しうる全ての発明も、本発明の要旨を包含する限り、本発明の技術的範囲に属する。
【００２５】
例えば、上記の実施形態では、表示体１が底板部３６ａ側に湾曲した例を示したが、表示体１の形状はこれに限られない。図５および図６は、表示体の湾曲形状のバリエーションを示す図である。図５の例では、図２に示した表示体１と同様に、表示体３は底板部３６ａ側に湾曲している。図６の例では、表示体４は底板部３６ａ側とは反対側に湾曲している。底板部３６ａの貫通孔は、表示体１の湾曲形状に応じて適切な位置に形成される。
【００２６】
例えば、底板部３６ａの貫通孔は、表示体と底板部３６ａとの距離が最も小さくなる位置とは異なる位置に配置されることが好ましい。このような位置に貫通孔が形成されれば、貫通孔の上部に、電子部品６２（図２参照）を挿入するための十分な高さの空間ＳＰが確保される。例えば、図５の例では、表示体３の外縁部と対向する領域ＳＰ２に貫通孔が形成される。図６の例では、表示体１の中央部と対向する領域ＳＰ１に貫通孔が形成される。これにより、表示体と底板部３６ａとの間の空間ＳＰが有効活用され、薄型の表示装置が提供される。
【００２７】
また、上記の実施形態では、表示体１として液晶パネルとバックライトとを有する液晶ディスプレイが例示されたが、表示体１はこれに限られない。例えば、表示体１として、ＯＬＥＤ（Ｏｒｇａｎｉｃ Ｅｌｅｃｔｒｏ-Ｌｕｍｉｎｅｓｃｅｎｃｅ Ｄｉｓｐｌａｙ）やＥＰＤ（Ｅｌｅｃｔｒｏｐｈｏｒｅｔｉｃ Ｄｉｓｐｌａｙ）などが用いられてもよい。
【符号の説明】
【００２８】
１，３，４  表示体
２  ケース
３３  支持台
３４ａ  天板
３４ｂ  壁材
３４Ｄ  窪み
３６ａ  底板部
３６Ｈ  貫通孔
６０  プリント基板
６２  電子部品
ＣＶ  湾曲部
ＳＰ  空間
【図１】
0006546842.tif 000002
【図２】
0006546842.tif 000003
【図３】
0006546842.tif 000004
【図４】
0006546842.tif 000005
【図５】
0006546842.tif 000006
【図６】
0006546842.tif 000007